(57)【要約】      （修正有）【課題】簡単な構造でありながら装飾性の高い鯉のぼりを提供する。【解決手段】鯉のぼり本体２１と、鯉のぼり本体の外面に取付面が面するように取り付けられ、照射される光を反射する反射部材３１と、を備えてなる鯉のぼりである。また、鯉のぼり本体２１の外面２３と、反射部材３１の取付面と、の間の融着又は接着によって鯉のぼり本体の外面２３と反射部材３１の取付面とが面するように取り付けられるものであってもよい。【選択図】図１
0003155098.tif 000002
【実用新案登録請求の範囲】
【請求項１】
鯉のぼり本体と、
鯉のぼり本体の外面に取付面が面するように取り付けられ、照射される光を反射する反射部材と、を備えてなる鯉のぼり。
【請求項２】
鯉のぼり本体の外面と、反射部材の取付面と、の間の融着又は接着によって鯉のぼり本体の外面と反射部材の取付面とが面するように取り付けられるものである、請求項１に記載の鯉のぼり。
【請求項３】
鯉のぼり本体の外面と、反射部材の取付面と、の少なくとも一方が熱可塑性樹脂材料によって形成されるものであり、
該熱可塑性樹脂材料によって形成された少なくとも一部が加熱され融解した状態において一方と他方とが接触された後に冷却されることで前記融着がなされるものである、請求項２に記載の鯉のぼり。
【請求項４】
前記少なくとも一方が、鯉のぼり本体の外面と、反射部材の取付面と、の両方である、請求項３に記載の鯉のぼり。
【請求項５】
鯉のぼり本体の外面と、反射部材の取付面と、の両方が、同質の熱可塑性樹脂材料によって形成されるものである、請求項４に記載の鯉のぼり。
【請求項６】
前記融着が超音波融着である、請求項３乃至５のいずれか１に記載の鯉のぼり。
【請求項７】
反射部材が、少なくとも表面に照射される光を反射する薄板又はシート状であり、前記取付面が裏面である、請求項１乃至６のいずれか１に記載の鯉のぼり。
【考案の詳細な説明】
【技術分野】
【０００１】
本考案は、鯉のぼりに関し、より詳細には、高い装飾性を有する鯉のぼりに関する。
【背景技術】
【０００２】
鯉のぼりは、男の子の成長を祝って端午の節句に立設されるものであり、室外（屋外）に立設されるものや、室内に配設されるものが知られている（例えば、特許文献１、特許文献２参照）。
特許文献１の鯉のぼりは、「鯉のぼりを発光させて美感の向上を図る」（特許文献１、発明の詳細な説明、段落番号０００１）ことに際し「従来の文献に基づく「鯉のぼり」は、鯉のぼりの目や鱗の一部にＥＬを取付け、リード線を口元から引出し、鯉のぼりを係止する紐と、昇降用の紐を利用して駆動用電源に導く構成であり、ＥＬの発光により、鯉のぼりに照明効果と、空中での躍動感を付与することを意図する。しかし、鯉のぼりの柔軟性が喪失する虞があった。」（特許文献１、要約の課題）ためなされたものである。具体的には、特許文献１の鯉のぼりは、「ポールの紐に係止された鯉のぼりであって、この鯉のぼりの胴体部には、鯉としての特色である目、鱗、尻尾等の特定部位を有しており、この特定部位にＬＥＤを配備し、このＬＥＤへの配線を鯉のぼりが係止される紐を利用して導き、ポールにセットした発電機及び／又はバッテリーに接続し、またこのバッテリーにはポールの先端に配備した風車を利用して蓄電する構成とした発光特性を備えた鯉のぼり」（特許文献１、請求項１）であり、それによって「請求項１は、ＬＥＤという極めて細く、鯉のぼり本体の柔軟性に障害とならないＬＥＤを使用し、本来の鯉のぼりの有する空中での躍動感を確保すること、また空中での遊泳において、ゆったり、かつ流れるような感覚を表現できること、そして、上下方向への躍動感の確保が図れることで、この種の鯉のぼりを視認した人々に、楽しみと、照明による明るく、光輝な感覚を与えうること等の特徴を有する。また請求項１は、電源を、自然のエネルギーを利用し、電力の節約、また環境の維持等を達成できる実益がある。そして、請求項１では、常時、発光を要求しなくても、自然の状態に合わせて発光することで、その願望を達成できること、また風車を利用して発光することから、鯉のぼりの躍動感とマッチして誠に有益であり、鯉のぼりの動きに連動させる得ること等の特徴を有する。」（特許文献１、発明の詳細な説明、段落番号００１９）という効果を奏する。
【０００３】
また、特許文献２は、本願出願人が実用新案権者である実用新案登録に関するものであり、「ふうせんへの空気注入や空気の抜取りに要する手間を要することなく、室内において無風状態でも力無く垂れ下がることを防止又は減少させ立体的な形状を保つことができる室内用鯉のぼりを提供する」（特許文献２、要約の課題）ためなされた「シート部材２１５の一主表面２１５ｓ１と他主表面２１５ｓ２のうち一主表面の少なくとも一部が凸面を形成するように曲げられた骨部材２１１と、中空管形状の本体２２１部と、を備えてなり、骨部材のうち少なくとも該凸面を形成する一主表面を含む部分である凸部分が、本体部の内部に挿入されることで、該凸部分のうち他主表面側に該本体部の内部空間が形成されるものである、室内用鯉のぼり」（特許文献２、要約の解決手段）が特許文献２に開示されている。
【先行技術文献】
【特許文献】
【０００４】
【特許文献１】特開２００７−２８９３５２号公報（例えば、要約、請求項１、段落番号０００１〜００１９、第１図〜第３図等）
【特許文献２】実用新案登録第３１１７８０６号公報（例えば、要約、段落番号０００１〜００１５、第１図等）
【考案の概要】
【考案が解決しようとする課題】
【０００５】
このような特許文献１の鯉のぼりによれば、鯉としての特色である目、鱗、尻尾等の特定部位に配備したＬＥＤを発光させて美感の向上を図ることができるが、鯉のぼりにＬＥＤ、配線、発電機及びバッテリー等を配設する必要があることから鯉のぼりの構造が複雑になり高価になってしまう。
そこで、本考案では、簡単な構造でありながら装飾性の高い鯉のぼりを提供することを目的とする。
【課題を解決するための手段】
【０００６】
本考案の鯉のぼり（以下、「本鯉のぼり」という。）は、鯉のぼり本体と、鯉のぼり本体の外面に取付面が面するように取り付けられ、照射される光を反射する反射部材と、を備えてなる鯉のぼりである。
本鯉のぼりは、鯉のぼり本体と、それに取り付けられた反射部材と、を備える。
鯉のぼり本体は、鯉の形状や模様を模して布等で形成された筒（通常は吹き流し）である従来の鯉のぼりと同様のものである。
反射部材は、反射部材の外面の一部である取付面が鯉のぼり本体の外面（鯉のぼり本体が形成する筒の外面）に面するように鯉のぼり本体に取り付けられる。取付面が鯉のぼり本体の外面に面するように取り付けられた反射部材は、反射部材に照射される光（鯉のぼりの外面の方向に向かって照射される光）を反射する（反射部材は、それが取り付けられる鯉のぼり本体の外面よりも可視光線の反射率が高い。）。
このようにして本鯉のぼりは、鯉のぼり本体とそれに取り付けられた反射部材とを備えることで、鯉のぼりの外面方向に向かって照射される光を反射部材が反射するので、日光や人工光等の光によって照らされると、その光を反射部材が反射して輝いて見えるので高い装飾性を有する。また、風に吹かれる等して本鯉のぼりが動揺するとそれに伴い反射部材の位置や方向が変化するので、光を反射部材が反射して輝く状態が変化することで装飾性を一層高めることができる。
【０００７】
本鯉のぼりにおいては、鯉のぼり本体の外面と、反射部材の取付面と、の間の融着又は接着によって鯉のぼり本体の外面と反射部材の取付面とが面するように取り付けられるもの（以下、「融着等本鯉のぼり」という。）であってもよい。
反射部材は、反射部材の取付面が鯉のぼり本体の外面（鯉のぼり本体が形成する筒の外面）に面するように鯉のぼり本体に取り付けられるが、取付方法は様々な方法を採用することができ、一例を挙げれば、反射部材を鯉のぼり本体に縫い付けたり、鯉のぼり本体に形成した貫通孔に反射部材を嵌入したり（リベットに類似の取付方法）、鯉のぼり本体の外面と反射部材の取付面との間を融着又は接着する方法等を挙げることができる。
鯉のぼり本体の外面と、反射部材の取付面と、の間の融着又は接着によって鯉のぼり本体の外面と反射部材の取付面とが面するように取り付けられるようにすれば、簡単に取り付けることができると共に、鯉のぼり本体に孔を開けたりする必要がないので鯉のぼり本体を傷めることを防止又は減少させることができる。そして、反射部材は、反射部材に照射される光（鯉のぼりの外面の方向に向かって照射される光）を反射するので、鯉のぼり本体の外面と反射部材の取付面との間の融着又は接着された部分に光が届きにくく、融着又は接着された部分の光（とりわけ日光に含まれる紫外線）による劣化を防止又は減少させることで、鯉のぼり本体から反射部材が脱落することを防止又は減少させることができる（糸や紐等の線材によって鯉のぼり本体に反射部材を縫いつける等した場合には、光（とりわけ日光に含まれる紫外線）が照射される線材の部分が劣化し切断等されることで鯉のぼり本体から反射部材が脱落する問題が生じやすいことと大きく相違する）。
【０００８】
融着等本鯉のぼりの場合（鯉のぼり本体の外面と反射部材の取付面との間が融着されるとき）、鯉のぼり本体の外面と、反射部材の取付面と、の少なくとも一方が熱可塑性樹脂材料によって形成されるものであり、該熱可塑性樹脂材料によって形成された少なくとも一部が加熱され融解した状態において一方と他方とが接触された後に冷却されることで前記融着がなされるもの（以下、「熱可塑性樹脂材料本鯉のぼり」という。）であってもよい。
こうすることで鯉のぼり本体の外面と反射部材の取付面との一方又は両方（少なくとも一方）が熱可塑性樹脂材料によって形成されるので、鯉のぼり本体の外面と反射部材の取付面とのうち熱可塑性樹脂材料によって形成された少なくとも一部（勿論、全部であってもよい）を加熱（該熱可塑性樹脂材料が融解する程度の温度まで加熱する）し融解した状態において一方と他方（鯉のぼり本体の外面と反射部材の取付面）とを接触させた後、冷却（該熱可塑性樹脂材料が固化する温度まで冷却する）することで、鯉のぼり本体の外面と反射部材の取付面との間を融着することができる。なお、熱可塑性樹脂材料としては様々な合成樹脂材料及び天然樹脂材料を用いることができるが、ポリエチレンやポリプロピレン等のようなポリオレフィン、ポリエステル、ポリアミドを例示できる。
【０００９】
熱可塑性樹脂材料本鯉のぼりの場合、前記少なくとも一方が、鯉のぼり本体の外面と、反射部材の取付面と、の両方であってもよい（以下、「両方熱可塑性樹脂材料本鯉のぼり」という。）。
こうすることで鯉のぼり本体の外面と反射部材の取付面との両方が熱可塑性樹脂材料によって形成されるので、鯉のぼり本体の外面と反射部材の取付面とのうち熱可塑性樹脂材料によって形成された少なくとも一部（勿論、全部であってもよい）を加熱（該熱可塑性樹脂材料が融解する程度の温度まで加熱する）し融解した状態で鯉のぼり本体の外面と反射部材の取付面とを接触させることで鯉のぼり本体の外面と反射部材の取付面とがうまく融合し、その後、冷却（該熱可塑性樹脂材料が固化する温度まで冷却する）されることで、鯉のぼり本体の外面と反射部材の取付面との間を確実に融着することができる。
【００１０】
両方熱可塑性樹脂材料本鯉のぼりの場合、鯉のぼり本体の外面と、反射部材の取付面と、の両方が、同質の熱可塑性樹脂材料によって形成されるものであってもよい。
こうすることで鯉のぼり本体の外面と反射部材の取付面との両方が同質の熱可塑性樹脂材料によって形成されるので、鯉のぼり本体の外面と反射部材の取付面とのうち熱可塑性樹脂材料によって形成された少なくとも一部（勿論、全部であってもよい）を加熱（該熱可塑性樹脂材料が融解する程度の温度まで加熱する）し融解した状態で鯉のぼり本体の外面と反射部材の取付面とを接触させることで鯉のぼり本体の外面と反射部材の取付面とがさらにうまく融合し、その後、冷却（該熱可塑性樹脂材料が固化する温度まで冷却する）されることで、鯉のぼり本体の外面と反射部材の取付面との間を一層確実に融着することができる。
【００１１】
熱可塑性樹脂材料本鯉のぼりの場合、前記融着が超音波融着であってもよい。
こうすることで鯉のぼり本体の外面と、反射部材の取付面と、が超音波融着（超音波接着）されるので、融着しない部分に不要な熱履歴を与えることが少なく、鯉のぼり本体を傷めることを防止又は減少させることができる。
【００１２】
本鯉のぼりにおいては、反射部材が、少なくとも表面に照射される光を反射する薄板又はシート状であり、前記取付面が裏面であってもよい。
こうすることで反射部材が、表面と裏面とを有する薄板又はシート状であり、該裏面が前記取付面として鯉のぼり本体の外面に面するように取り付けられ、該表面側に照射される光（可視光）を反射するので、反射部材の厚みが小さく（薄板又はシート状）反射部材の体積や質量に対する反射面（該表面）を大きくとることができ、反射部材を鯉のぼり本体に取り付けた際の本鯉のぼりへの悪影響（例えば、質量増加に伴い揺動状態が不自然になること等）を防止又は減少させた状態で、光の反射による装飾性を高めることができる。
【図面の簡単な説明】
【００１３】
【図１】一例の本考案の鯉のぼり（本鯉のぼり）を示す正面図である。
【図２】図１中において点線Ａによって囲まれた部分の拡大図である。
【図３】図２のＢ−Ｂ断面図である。
【図４】本鯉のぼりの製造工程を示す断面図である。
【考案を実施するための形態】
【００１４】
本考案の実施の形態を図面を参照して詳述するが、本考案はこれに限定されるものではない。
【００１５】
図１は一例の本考案の鯉のぼり（本鯉のぼり）１１を示す正面図であり、図２は図１中において点線Ａによって囲まれた部分の拡大図であり、そして図３は図２のＢ−Ｂ断面図である。図１乃至図３を参照して、本鯉のぼり１１について説明する（なお、本鯉のぼり１１の背面は図１と略対称になっている。）。
本鯉のぼり１１は、大まかには、鯉のぼり本体２１と、鯉のぼり本体２１の外面２３に取り付けられた反射部材３１と、を備えてなる。
鯉のぼり本体２１は、従来の鯉のぼりと同様、頭側の開口２５ａと尾側の開口２５ｂとを連通する内部空間を形成する筒状（鯉の形状を模している）をなしており、合成樹脂製（具体的には、ポリエステル）の布を縫製することで形成されている。
【００１６】
反射部材３１は、ここでは表面が星型の薄いシート状をなしており（特に、図２及び図３）、表面３１ａ側から照射される光（可視光）を反射する反射部材本体３３と、反射部材本体３３の裏面３３ｂ（表面３１ａを形成する反射部材本体３３の表面３３ａとは反対の面）に沿って形成された融着樹脂層３５と、を有してなる。反射部材本体３３は、光を反射する既知の樹脂製シートを裁断することで形成することができ、さらに融着樹脂層３５は、鯉のぼり本体２１の外面２３に超音波融着が可能な樹脂（ここでは具体的には、ポリエステル）によって形成されているが、例えば、表面側に照射される光を反射する既知の樹脂製シートの裏面側に融着樹脂層３５を形成した原料シートを所定形状（ここでは星型）に裁断（打ち抜き等）することで形成されてもよい（ここでは反射部材本体３３は、一般的にはスパンコール又はスパングルと呼ばれるものを形成するために用いる樹脂製シートを用いている。）。なお、ここでは反射部材３１の表面が星型をなしているが、これに限定されるものではないことは言うまでもなく、星形以外の該表面の形状を例示すれば、円形、半円形、扇形、楕円形、半楕円形、ｎ角形（但しｎは３以上の自然数を示す）等を挙げることができる。また、反射部材３１の表面の大きさは、鯉のぼり本体２１の寸法や反射部材３１の個数等に応じて適宜定められてよく何ら限定されるものではないが、あまり大きいと本鯉のぼり１１の取り扱いが制限されたり、あまり小さいと反射部材３１を鯉のぼり本体２１に取り付ける手間が増えたりするので、下限として、好ましくは反射部材３１の表面が直径１ｍｍの円を含むことができるものであり、より好ましくは反射部材３１の表面が直径２ｍｍの円を含むことができるものであり、最も好ましくは反射部材３１の表面が直径３ｍｍの円を含むことができるものであり、上限として、好ましくは反射部材３１の表面が直径２０ｍｍの円に含まれるものであり、より好ましくは反射部材３１の表面が直径１５ｍｍの円に含まれるものであり、最も好ましくは反射部材３１の表面が直径１０ｍｍの円に含まれるものである。
そして、本鯉のぼり１１においては、鯉のぼり本体２１の長手方向に沿って多数の反射部材３１が配設されている（特に、図１及び図２）。そして、いずれの反射部材３１も図３に示すように鯉のぼり本体２１に取り付けられている。反射部材３１は、超音波融着によって融着樹脂層３５が加熱され融解した後に冷却されることで形成された融着層３７により、鯉のぼり本体２１の外面２３と反射部材３１の取付面（裏面３１ｂ）とが面するように取り付けられている。
【００１７】
本鯉のぼり１１は、次のように製造されることができる。
第１に、鯉のぼり本体２１を合成樹脂製（具体的には、ポリエステル）の布を縫製することで形成する。
第２に、図４（断面の位置は図３に同じ）に示すように、反射部材本体３３とその裏面３３ｂに沿って形成された融着樹脂層３５とを有する原料反射部材３１ｐを用意する。
第３に、原料反射部材３１ｐの融着樹脂層３５が鯉のぼり本体２１の外面２３に当接させ（図４の矢印Ｑ）、融着樹脂層３５と外面２３とが当接した状態で超音波融着により融着樹脂層３５と外面２３とを融着させる（これにより融着層３７が形成される）。この原料反射部材３１ｐと鯉のぼり本体２１との融着は、必要個数の反射部材３１が融着されるよう、複数回実施される。なお、原料反射部材３１ｐと鯉のぼり本体２１との融着は、ポリエステル製の布地と、ポリエステル製のフィルムと、を超音波融着するために用いられる既存の超音波融着装置を適宜用いて融着することができる。
以上のようにして、本鯉のぼり１１が製造される。
【００１８】
このような本鯉のぼり１１は、従来の鯉のぼりと同様、頭側の開口２５ａの縁部に一端が取り付けられた紐体（不図示）によって吊り下げられる等して用いることができる。本鯉のぼり１１は、長手方向に沿って多数の反射部材３１が配設されているので、日光やライトの光に照らされると多数の反射部材３１が光を反射してキラキラ輝くように見え、豪華さを伴う高い装飾性を有する。
【００１９】
以上のように本鯉のぼり１１は、鯉のぼり本体２１と、鯉のぼり本体２１の外面２３に取付面（裏面３１ｂ）が面するように取り付けられ、照射される光を反射する反射部材３１と、を備えてなる鯉のぼりである。
そして、本鯉のぼり１１においては、鯉のぼり本体２１の外面２３と、反射部材３１の取付面（裏面３１ｂ）と、の間の融着によって鯉のぼり本体２１の外面２３と反射部材３１の取付面（裏面３１ｂ）とが面するように取り付けられるものである。
本鯉のぼり１１においては、鯉のぼり本体２１の外面２３と、反射部材３１の取付面（裏面３１ｂ）と、の少なくとも一方（ここでは両方）が熱可塑性樹脂材料（ここでは具体的にはポリエステル）によって形成されるものであり、該熱可塑性樹脂材料（ここでは具体的にはポリエステル）によって形成された少なくとも一部が加熱され融解した状態（超音波融着による融着樹脂層３５と外面２３との融解状態）において一方と他方とが接触（鯉のぼり本体２１の外面２３と、反射部材３１の取付面（裏面３１ｂ）と、が圧接）された後に冷却されることで前記融着がなされるものである。本鯉のぼり１１においては、前記少なくとも一方が、鯉のぼり本体２１の外面２３と、反射部材３１の取付面（裏面３１ｂ）と、の両方である。また、本鯉のぼり１１においては、鯉のぼり本体２１の外面２３と、反射部材３１の取付面（裏面３１ｂ）と、の両方が、同質の熱可塑性樹脂材料（ここでは具体的にはポリエステル）によって形成されるものである。また、本鯉のぼり１１においては、前記融着が超音波融着である。
本鯉のぼり１１においては、反射部材３１が、少なくとも表面３１ａに照射される光を反射するシート状であり、前記取付面（裏面３１ｂ）が裏面である。
【符号の説明】
【００２０】
１１          本鯉のぼり
２１          鯉のぼり本体
２３          外面
２５ａ        頭側の開口
２５ｂ        尾側の開口
３１          反射部材
３１ａ        表面
３１ｂ        裏面
３１ｐ        原料反射部材
３３          反射部材本体
３３ａ        表面
３３ｂ        裏面
３５          融着樹脂層
３７          融着層
【図１】
0003155098.tif 000003
【図２】
0003155098.tif 000004
【図３】
0003155098.tif 000005
【図４】
0003155098.tif 000006